(57)【要約】【課題】  家畜糞の肥料化において堆積切り返し方式では、発酵が進むのは空気に触れる表面３０ｃｍ（深さ）までの部分である。それより内側は空気が不足により発酵が進まない。また、それを補うため攪拌を行なうと、温度が上昇してきた部分が冷たい空気にさらされ、温度が低下する。また、未発酵の部分を攪拌すると悪臭を撒き散らすことになる。堆積切り返しではなく装置を用いると上記の欠点は解消されるが、大きな費用がかかるばかりか、その管理も大変である。  【解決手段】  家畜糞尿を堆積し、その表面の一部の、一定深さまでの糞尿を他の表面部に移動し、それを全体が堆肥化するまで繰り返す方法。【選択図】  図１
2013234097.tif 000002
【特許請求の範囲】
【請求項１】
家畜糞尿を堆積し、その表面の一部の、一定深さまでの糞尿を他の表面部に移動し、それを全体が堆肥化するまで繰り返すことを特徴とする家畜糞尿の堆肥化方法。
【請求項２】
該移動は、油圧ショベルで行なうものである請求項１記載の家畜糞用の堆肥化方法。
【請求項３】
該油圧ショベルのショベル内には攪拌翼が設けられているものである請求項２記載の家畜糞用の堆肥化方法。
【発明の詳細な説明】
【技術分野】
【０００１】
本発明は、家畜糞尿の堆肥化方法に関するものである。
【背景技術】
【０００２】
家畜糞尿を肥料として利用することは、植物の育成及び廃棄物処理の両面から重要なことである。この家畜糞尿の肥料化は、従来もみがら等の副資材と混合し、自然発酵させて堆肥化するものである。
【０００３】
この発酵は、好気性微生物による分解であるため、酸素が必要である。酸素が十分でないと、微生物が繁殖できないためである。よって、空気に触れない部分は発酵が進まないため、定期的に切り返しを行い全体的に空気に触れるようにしている。
【０００４】
そして、発酵により、温度が上がり、それによってより水分の蒸発が進み、肥料化が進むのである。
【０００５】
また、上記のような堆積切り返しで行うのではなく、装置で行なう方法（特許文献１）も考案され実施もされている。
【先行技術文献】
【特許文献】
【０００６】
【特許文献１】特開２００２−１６０９８７号公報
【発明の概要】
【発明が解決しようとする課題】
【０００７】
上記の従来の堆積切り返し方式では、発酵が進むのは空気に触れる表面３０ｃｍ（深さ）までの部分である。それより内側は空気が不足により発酵が進まない。また、それを補うため攪拌を行なうと、温度が上昇してきた部分が冷たい空気にさらされ、温度が低下する。また、未発酵の部分を攪拌すると悪臭を撒き散らすことになる。
【０００８】
また、特許文献１に記載のような装置を用いると上記の堆積切り返し方式の欠点は解消されるが、大きな費用がかかるばかりか、その管理も大変である。そこで、本発明では、以上のような欠点を解消し、低コストで実施できる家畜糞尿の堆肥化方法を提供する。
【課題を解決するための手段】
【０００９】
以上のような現状に鑑み、本発明者は鋭意研究の結果、本発明家畜糞尿の堆肥化方法を完成したものであり、その特徴とするところは、家畜糞尿を堆積し、その表面の一部の、一定深さまでの糞尿を他の表面部に移動し、それを全体が堆肥化するまで繰り返す点にある。
【００１０】
ここで、家畜糞尿とは牛、馬等の家畜の糞尿である。
また、家畜糞尿の堆積とは、地面にそのままうず高く盛り上げることをいい、その盛り上げ形状は問わない。また地面も、特にこだわらず、屋外でも屋内でもよく、どのような地面でも、コンクリート面その他の建造物の床でもよい。また、水分量をある程度以下にしなければ、このように積むことはできない。本発明では、限定はしないが水分量７０％以下が好ましい。もし、これ以上の場合にはなんらかの方法で水分を減らして堆積する。勿論、家畜の種類によっては、これ以上でも堆積可能なものがあればそれでもよい。例えば、８０％や８５％である。
【００１１】
水分の減らしかたは、容器等でそのまま放置するか副資材を混合する等の通常の方法でよい。副資材としては、イナワラ、モミガラ、おがくず、その他でよい。
【００１２】
堆積の形状は、自由であるが、後述する本発明の方法からは、断面半円状、かまぼこ状等にするのが好ましい。勿論、糞尿であるためきっちりと形状ができるわけはなく、全体が局面状になることは当然である。おおよその形状としてという意味である。この堆積物の底面の縦横の比率は、１対３以上の長い四角が好ましい。
【００１３】
本発明の重要なポイントは、表面の一部の一定の深さまでを移動することである。移動の方法は自由であるが、油圧ショベルで移動させる方法が好適である。即ち、油圧ショベル（パワーショベル）で掬い上げずに、そのまま掻き揚げて移動させるのである。よって、通常のショベルと異なり、ショベルが小さく掬い上げにくい構造となったものがよい。しかし、一旦持ち上げたり、掬い上げて移動させてもよい。油圧ショベルだけでなく、その他の移動装置を用いてもよい。
【００１４】
本発明は、従来の攪拌方法や装置内での方法と異なり、うづ高く積んだ糞尿を全体として移動しながら、発酵を進めていくのが特徴である。よって、ここで表面の一部とは、どの部分でもよいが、全体としてどの方向に糞尿を移動させるかできめればよい。即ち、移動させる方向と反対側の表面の一部でよい。
【００１５】
また、一定の深さとは、発酵が進む深さであり、これは水分量や空隙率によって異なるものである。しかし、通常は３０ｃｍ、３５ｃｍ、２５ｃｍ程度の深さである。実際に行なう場合には、２５ｃｍ〜３５ｃｍ程度になる。１回に移動する幅は使用する機械や道具によって自由に決めればよい。例えば、ショベルの横幅である。５０ｃｍ〜１００ｃｍ程度が普通であるが、より大きな装置を用いれば、１００〜２００ｃｍでも可能である。
【００１６】
非常に空隙率が大きく（３０％以上）、空気の透過性がよい場合には、３５ｃｍより深くすることが可能な場合もある。例えば、４０ｃｍ等である。また、副資材を混合することによっても空気の透過性がよくなるため、４５ｃｍから５０ｃｍということも可能である。結論的には、表面下に糸状菌が見られた部分まで行うということである。
【００１７】
移動の時期は、発酵が進んだときであるが、表面下に糸状菌が見られたときである。
【００１８】
前記したとおり、この移動に油圧ショベルを用いる場合、そのショベル内に攪拌切削装置を設けたものを用いておこなうのがよい。これを用いると、移動中に糞尿がそのショベル内で切削、攪拌されるため作業が早くなる。また、より空気に触れるためその後の発酵もより速くなる。
【００１９】
他の表面部に載置するとは、その移動する糞尿を元の場所以外の表面に移すことをいう。この動作を何回も繰り返すのであるが、そのときに、移動元はまだ移動していない場所で発酵の進んだところ（すべてが１回持ち上げた場合でさらに行う場合、最も以前に持ち上げた部分）であり、載置する場所は、移動元の反対側が好ましい。このように順次反対側に載置していくと、糞尿の山が順次移動していくことになる。
【００２０】
上記した攪拌切削装置を設けた油圧ショベルについて説明する。これは、油圧ショベルの中に回転軸を設け、その回転軸に攪拌翼や切削歯等を取り付けたものである。この攪拌翼等の回転は油圧ショベルの油圧で行うと便利である。この油圧ショベルは、掬い上げて運ぶというより、ショベルの中に糞尿を入れてそのまま押していくという動作である。
【発明の効果】
【００２１】
本発明には次のような効果がある。
（１）  発酵が十分進んだ部分のみを持ち上げ、移動させるため、不要な部分の攪拌がなく無駄に温度を下げない。よって、効率よく発酵が進む。
（２）  発酵の進んでいない部分を攪拌しないため、悪臭を撒き散らさない。
（３）  毎度全体を攪拌しないため非常に省力化になる。
（４）  小さな油圧ショベルだけでも効率よく行えるため、初期設備費やランニングコストが非常に小さくてすむ。
（５）  発酵時間が短くて済む。
【図面の簡単な説明】
【００２２】
【図１】図１は、本発明方法を実施しているところを示す概略断面図である。
【図２】図２は、本発明に用いるショベルの１例を示す側面図である。
【図３】図３は、本発明に用いるショベルの１例を示す正面図である。
【発明を実施するための最良の形態】
【００２３】
以下実施例に従って本発明をより詳細に説明する。しかし実施例に限定するものではない。
【実施例】
【００２４】
実施例１として次の糞尿を準備した。
牛の糞尿（水分８５％）２０トンに副資材として、荒い木くず（長さ１〜５ｃｍ）を１０トン加えたものを準備した。
この牛糞１をかまぼこ状にうず高く積み上げた。このときの形状は、底面が５ｍ×１２ｍで高さが２ｍになった。南北に長く載置した。この斜視図を図１に示す。
【００２５】
これを約１週間程度放置し、表面の下に糸状菌が見つかると、南東の端部の表面３０ｃｍ（図１の斜線部）２を油圧ショベルで掻き上げて（幅約７０ｃｍ、１例）、それを並行に西に移動（矢印のように）し、西の端部に載置した。そのまま北に進み、同じように次の表面（図１のドット部）３を掻き上げ西の端部に移動した。これを最後まで行なうと、うず高く積まれた糞尿が全体として西に約３０ｃｍ移動した結果になった。
【００２６】
そして新しく東の端部になった部分が空気に曝されて発酵が進むことになる。そしてまた、糸状菌が見えれば上記と同様のことを行なうことになる。そしてまた約３０ｃｍ西に移動する。
【００２７】
この移動に用いた油圧ショベルのショベル４を図２に示す。実際には物を掬うものでないが便宜上ショベルと呼ぶ。図２は、ショベル４の中が見えるようにした側面図である。これを左方向（矢印）に移動させて、その前にある糞尿を左側に移動するのである。ショベルの中全体に回転翼５が設けられている。これが回転することによって、移動中に糞尿を砕き、攪拌し空気と十分に接触させるのである。そのことがショベルで移動させるだけで可能となるため手間が省けるのである。図３は、その正面図であり、横方向全体にわたって回転翼が設けられているのがわかる。
【００２８】
この方法では、最初は糞尿の全体の表面が発酵しているが、その一部だけを移動攪拌することになる。しかし、これを順次繰り返せば、未発酵の部分が順次表面に出ることになり、効率よく必要な部分のみを攪拌することになる。
【００２９】
上記の糞尿を、堆積切り返し方法で、全体を切り返す従来の方法で行なうと、発酵に約５ヶ月かかるが、本発明方法では１ヶ月半で完成した。やはり、不必要な冷却をしなかったことが発酵を進ませたと考えられる。また、悪臭も従来の方法より相当小さく済んだ。
【符号の説明】
【００３０】
１  牛糞
２  牛糞の最初の移動部
３  牛糞の次の移動部
４  ショベル
５  攪拌翼
【図１】
2013234097.tif 000003
【図２】
2013234097.tif 000004
【図３】
2013234097.tif 000005